(57)【要約】【課題】ＰＳ専用ネットワークで待ち受けを行っている状態であってもＣＳネットワークを介して緊急呼の発信を行う。【解決手段】本発明に係る移動局ＵＥは、パケット交換専用ネットワークであるＬＴＥ方式ネットワーク配下のセルにおいて待ち受けを行っている状態で、緊急呼の発信契機を検出した場合で、かつ、回線交換ネットワークを有するＵＭＴＳ方式ネットワーク配下のセルにおいて待ち受け可能であると判定された場合に、ＵＭＴＳ方式ネットワーク配下のセルを介して緊急呼の発信を行うように構成されている緊急呼発信処理部を具備する。【選択図】図２
2010178203.tif 000002
【特許請求の範囲】
【請求項１】
パケット交換専用ネットワークである第１ネットワーク配下のセルにおいて待ち受けを行っている状態で、緊急呼の発信契機を検出した場合で、かつ、回線交換ネットワークを有する第２ネットワーク配下のセルにおいて待ち受け可能であると判定された場合に、該第２ネットワーク配下のセルを介して緊急呼の発信を行うように構成されている緊急呼発信処理部を具備することを特徴とする移動局。
【請求項２】
前記緊急呼発信処理部は、前記第２ネットワーク配下のセルにおける受信レベルが所定閾値よりも大きい場合に、該第２ネットワーク配下のセルにおいて待ち受け可能であると判定するように構成されていることを特徴とする請求項１に記載の移動局。
【請求項３】
前記緊急呼発信処理部は、前記第１ネットワーク配下のセルにおいて待ち受けを行っている状態で、前記緊急呼の発信契機を検出した場合で、かつ、前記第２ネットワーク配下のセルにおいて待ち受け可能であると判定された場合には、該第２ネットワーク配下のセルにおける受信レベルが該第１ネットワーク配下のセルにおける受信レベルよりも小さい場合であっても、該第２ネットワーク配下のセルを介して緊急呼の発信を行うように構成されていることを特徴とする請求項１に記載の移動局。
【請求項４】
前記緊急呼発信処理部は、前記第１ネットワーク配下のセルにおいて待ち受けを行っている状態で、前記緊急呼の発信契機を検出した場合で、かつ、前記第２ネットワーク配下のセルにおいて待ち受け可能であると判定された場合には、該第２ネットワーク配下のセルに対して設定されている待ち受けセルを決定する際に用いられる優先度が、該第１ネットワーク配下のセルに対して設定されている待ち受けセルを決定する際に用いられる優先度よりも低い場合であっても、該第２ネットワーク配下のセルを介して緊急呼の発信を行うように構成されていることを特徴とする請求項１に記載の移動局。
【請求項５】
前記緊急呼発信処理部は、前記第１ネットワーク配下のセルにおいて待ち受けを行っている状態で、前記緊急呼の発信契機を検出した場合で、かつ、前記第２ネットワーク配下のセルにおいて待ち受け可能であると判定された場合には、該第２ネットワークに対して位置登録を行うことなく、該第２ネットワーク配下のセルを介して緊急呼の発信を行うように構成されていることを特徴とする請求項１に記載の移動局。
【請求項６】
前記緊急呼発信処理部は、前記第１ネットワークにおいて第１コネクションを確立している状態で、前記緊急呼の発信契機を検出した場合には、該第１コネクションを前記第２ネットワークにおける第２コネクションに切り替え、該第２コネクションを介して緊急呼の発信を行うように構成されていることを特徴とする請求項１に記載の移動局。
【請求項７】
前記緊急呼発信処理部は、前記移動局が第１モードに設定されている場合には、前記第１ネットワーク配下のセルにおいて待ち受けを行っている状態で、緊急呼の発信契機を検出した場合で、かつ、前記第２ネットワーク配下のセルにおいて待ち受け可能であると判定された場合に、該第２ネットワーク配下のセルを介して緊急呼の発信を行うように構成されており、
前記緊急呼発信処理部は、前記移動局が第２モードに設定されている場合には、前記第１ネットワーク配下のセルにおいて待ち受けを行っている状態で、緊急呼の発信契機を検出した場合で、かつ、前記第２ネットワーク配下のセルにおいて待ち受け可能であると判定された場合に、該第１ネットワーク配下のセルを介して第１コネクションを確立した後、該第１コネクションを該第２ネットワークにおける第２コネクションに切り替え、該第２コネクションを介して緊急呼の発信を行うように構成されていることを特徴とする請求項１に記載の移動局。
【請求項８】
移動局において、パケット交換専用ネットワークである第１ネットワーク配下のセルにおいて待ち受けを行っている状態で、緊急呼の発信契機を検出した場合に、回線交換ネットワークを有する第２ネットワーク配下のセルにおいて待ち受け可能であるか否かについて判定する工程と、
前記移動局において、前記第２ネットワーク配下のセルにおいて待ち受け可能であると判定された場合に、該第２ネットワーク配下のセルを介して緊急呼の発信を行う工程とを有することを特徴とする移動通信方法。
【発明の詳細な説明】
【技術分野】
【０００１】
本発明は、移動局及び移動通信方法に関する。
【背景技術】
【０００２】
ＬＴＥ（Ｌｏｎｇ  Ｔｅｒｍ  Ｅｖｏｌｕｔｉｏｎ）方式ネットワークに代表される「パケット交換専用ネットワーク（ＰＳ（Ｐａｃｋｅｔ  Ｓｗｉｔｃｈｉｎｇ）専用ネットワーク）」では、ＶｏＩＰ（Ｖｏｉｃｅ  ｏｖｅｒ  ＩＰ）のようなサービス、すなわち、パケットに音声コーデックを載せて送受信するサービスによって、音声サービスを提供することが一般的に想定されている。
【０００３】
しかしながら、既存の回線交換ネットワーク（ＣＳ（Ｃｉｒｃｕｉｔ  Ｓｗｉｔｃｈｉｎｇ）ネットワーク）を有するＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）方式ネットワークにおける音声サービスとの通信継続性（ハンドオーバ処理等）を考慮すると、ＶｏＩＰでの音声サービスの提供は、技術的ハードルが高い。
【０００４】
また、ＣＳネットワークのみで提供されているサービスが存在する場合、移動局ＵＥは、ＰＳ専用ネットワークにおいて、かかるサービスを利用することができない。
【０００５】
そのため、移動局ＵＥが、ＰＳ専用ネットワークにおいて、音声サービス等の回線交換サービス（ＣＳサービス）を利用したい場合は、ＰＳ専用ネットワークにおけるコネクションを、ＣＳネットワークを有するＵＭＴＳ方式ネットワーク等におけるコネクションに切り替えて、ＣＳサービスの発着信を行う方法が知られている。
【０００６】
かかる方法は、ＬＴＥ方式ネットワークとＵＭＴＳ方式ネットワークとの間、ＬＴＥ方式ネットワークとＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）方式ネットワークとの間、ＬＴＥ方式ネットワークとＣＤＭＡ２０００方式ネットワークとの間で行われる場合、「ＣＳフォールバック（ＣＳＦＢ：ＣＳ  Ｆａｌｌｂａｃｋ）」と呼ばれる。
【０００７】
移動局ＵＥは、ＰＳ専用ネットワークからＣＳネットワークを有するネットワークに、ＣＳフォールバックしてＣＳサービスの発信を行う場合、以下の動作を実施する必要がある。
【０００８】
（１）ＰＳ専用ネットワークにおいてコネクションを確立している移動局ＵＥにおいて、ＮＡＳ（Ｎｏｎ  Ａｃｃｅｓｓ  Ｓｔｒａｔｕｍ）機能が、ＡＳ（Ａｃｃｅｓｓ  Ｓｔｒａｔｕｍ）機能に対して、ＣＳ発信要求を送信する。
【０００９】
（２）ＡＳ機能が、ＰＳ専用ネットワークに対して、ＣＳネットワークへのフォールバック要求を送信する。
【００１０】
（３）ＰＳ専用ネットワークが、移動局ＵＥに対して、ＣＳネットワークへのハンドオーバ指示又はＲＡＴ（Ｒａｄｉｏ  Ａｃｃｅｓｓ  Ｔｅｃｈｎｏｌｏｇｙ）変更要求を送信する。
【００１１】
（４）移動局ＵＥが、ＣＳネットワークにおいて、ＣＳサービスの発信を行う。
【００１２】
かかるＣＳサービスの発信動作と、通常のＣＳサービスの発信動作との違いは、（２）及び（３）の動作（すなわち、フォールバック処理）である。
【００１３】
フォールバック処理は、移動局ＵＥが、ＰＳ専用ネットワークに対してＣＳサービスを利用したい旨を通知し、かかるＰＳ専用ネットワークが、ＣＳネットワークを有するネットワークにおけるコネクションへの切り替え準備を行う処理、及び、移動局ＵＥに対してＣＳネットワーク配下のセルへのハンドオーバ要求若しくはＣＳネットワークを有するネットワーク（ＲＡＴ）へのＲＡＴ変更要求を送信する処理によって構成されている。
【００１４】
フォールバック処理が終了した後の動作、すなわち、（４）以降の動作は、通常の発信処理と同一になる。
【００１５】
３ＧＰＰでは、ＬＴＥ方式では、ＣＳサービスを提供することができないため、移動局ＵＥは、ＣＳＦＢを用いて、ＵＭＴＳ方式ネットワーク配下のセルやＧＳＭ方式ネットワーク配下のセルを介して、緊急呼の発着信を行うように構成されている。
【先行技術文献】
【非特許文献】
【００１６】
【非特許文献１】３ＧＰＰ  ＴＳ２３.２７２、「Ｃｉｒｃｕｉｔ  Ｓｗｉｔｃｈｅｄ  Ｆａｌｌｂａｃｋ  ｉｎ  Ｅｖｏｌｖｅｄ  Ｐａｃｋｅｔ  Ｓｙｓｔｅｍ  Ｓｔａｇｅ２
【発明の概要】
【発明が解決しようとする課題】
【００１７】
しかしながら、ＬＴＥ方式ネットワークでは、移動局ＵＥによって緊急呼の発信の際に送信されるメッセージ「Ｅｘｔｅｎｄｅｄ  Ｓｅｒｖｉｃｅ  Ｒｅｑｕｅｓｔメッセージ」に設定可能なユーザ識別子が、「Ｍ-ＴＭＳＩ（Ｍ-Ｔｅｍｐｏｒａｒｙ  Ｍｏｂｉｌｅ  Ｓｕｂｓｃｒｉｂｅｒ  Ｉｄｅｎｔｉｔｙ）」のみとなっている。
【００１８】
Ｍ-ＴＭＳＩは、Ａｔｔａｃｈしている状態の移動局ＵＥに対してのみ割り当てられるユーザ識別子であるため、移動局ＵＥは、ＬＴＥ方式ネットワークでは、ＵＭＴＳ方式ネットワークやＧＳＭネットワークの場合のように、Ａｔｔａｃｈしていない状態で緊急呼の発信を行うことができないという問題点があった。
【００１９】
また、移動局ＵＥが、Ａｔｔａｃｈされている状態であり、かつ、Ｍ-ＴＭＳＩを保有していた場合であっても、位置登録規制が行われているエリアに移動したため、かかるＭ-ＴＭＳＩを払い出したパケット交換機ＭＭＥ以外の交換局ＭＭＥに対して緊急呼の発信を行った（すなわち、「Ｅｘｔｅｎｄｅｄ  Ｓｅｒｖｉｃｅ  Ｒｅｑｕｅｓｔメッセージ」を送信した）場合には、かかるパケット交換機ＭＭＥは、かかる「Ｅｘｔｅｎｄｅｄ  Ｓｅｒｖｉｃｅ  Ｒｅｑｕｅｓｔメッセージ」に含まれているＭ-ＴＭＳＩを認識していないため、かかる緊急呼の発信を拒否し、かかる移動局ＵＥに対して位置登録を促す（すなわち、「Ｓｅｒｖｉｃｅ  Ｒｅｊｅｃｔ（＃９：ＵＥ  ｉｄｅｎｔｉｔｙ  ｃａｎｎｏｔ  ｂｅ  ｄｅｒｉｖｅｄ  ｂｙ  ｔｈｅ  ｎｅｔｗｏｒｋ）」を送信する）。
【００２０】
しかしながら、移動局ＵＥが現在位置するエリアにおいては位置登録を行うことができない状況であるため、かかる場合には、移動局ＵＥは、緊急呼の発信を行うことができないという問題点があった。
【００２１】
そこで、本発明は、上述の課題に鑑みてなされたものであり、ＰＳ専用ネットワークで待ち受けを行っている状態であってもＣＳネットワークを介して緊急呼の発信を行うことができる移動局及び移動通信方法を提供することを目的とする。
【課題を解決するための手段】
【００２２】
本発明の第１の特徴は、移動局ＵＥであって、ＰＳ専用ネットワーク（パケット交換専用ネットワーク）である第１ネットワーク配下のセルにおいて待ち受けを行っている状態で、緊急呼の発信契機を検出した場合で、かつ、ＣＳネットワーク（回線交換ネットワーク）を有する第２ネットワーク配下のセルにおいて待ち受け可能であると判定された場合に、該第２ネットワーク配下のセルを介して緊急呼の発信を行うように構成されている緊急呼発信処理部を具備することを特徴とする。
【００２３】
本発明の第２の特徴は、移動通信方法であって、移動局において、ＰＳ専用ネットワーク（パケット交換専用ネットワーク）である第１ネットワーク配下のセルにおいて待ち受けを行っている状態で、緊急呼の発信契機を検出した場合に、ＣＳネットワーク（回線交換ネットワーク）を有する第２ネットワーク配下のセルにおいて待ち受け可能であるか否かについて判定する工程と、前記移動局において、前記第２ネットワーク配下のセルにおいて待ち受け可能であると判定された場合に、該第２ネットワーク配下のセルを介して緊急呼の発信を行う工程とを有することを要旨とする。
【発明の効果】
【００２４】
以上説明したように、本発明によれば、ＰＳ専用ネットワークで待ち受けを行っている状態であってもＣＳネットワークを介して緊急呼の発信を行うことができる移動局及び移動通信方法を提供することができる。
【図面の簡単な説明】
【００２５】
【図１】本発明の第１の実施形態に係る移動局の機能ブロック図である。
【図２】本発明の第１の実施形態に係る移動局内部の動作を示すシーケンス図である。
【図３】本発明の第１の実施形態に係る移動通信システムにおいて移動局が緊急呼発信を行う様子を説明するための図である。
【発明を実施するための形態】
【００２６】
（本発明の第１の実施形態に係る移動局）
図１乃至図３を参照して、本発明の第１の実施形態に係る移動局について説明する。
【００２７】
本実施形態に係る移動局ＵＥは、ＰＳ専用ネットワークであるＬＴＥ方式ネットワーク（第１ネットワーク）及びＣＳネットワークを有するＵＭＴＳ方式ネットワーク（第２ネットワーク）において通信を行うことができるように構成されている。
【００２８】
なお、本明細書では、ＰＳ専用ネットワークとして、ＬＴＥ方式ネットワークを例に挙げて説明するが、ＰＳ専用ネットワークとして、他の方式のネットワークが用いられてもよい。
【００２９】
また、同様に、本明細書では、ＣＳネットワークを有するネットワーク（ＲＡＴ）として、ＵＭＴＳ方式ネットワークを例に挙げて説明するが、ＣＳネットワークを有するネットワーク（ＲＡＴ）として、ＧＳＭ方式ネットワークやＣＤＭＡ２０００方式ネットワーク等の他の方式のネットワークが用いられていてもよい。
【００３０】
移動局ＵＥは、ＰＳネットワークではなく、ＣＳネットワークを介して、緊急呼の発信を行うように構成されている緊急呼発信処理部を具備している。以下、移動局ＵＥの構成のうち、かかる緊急呼発信処理部に関連する構成について着目して説明する。
【００３１】
図１に示すように、移動局ＵＥは、緊急呼発信処理部に関連する構成として、ＭＭ（Ｍｏｂｉｌｉｔｙ  Ｍａｎａｇｅｍｅｎｔ）機能部１１と、ＥＭＭ（ＥＰＳ  Ｍｏｂｉｌｉｔｙ  Ｍａｎａｇｅｍｅｎｔ）機能部１２と、ＲＲＣ（ＵＭＴＳ）機能部１３と、ＲＲＣ（ＬＴＥ）機能部１４と、ＨＷ機能部１５とを具備している。
【００３２】
ＭＭ機能部１１は、ＵＭＴＳ方式における移動管理タスクとして機能するものであり、ＥＭＭ機能部１２は、ＬＴＥ方式における移動管理タスクとして機能するものである。
【００３３】
また、ＲＲＣ（ＵＭＴＳ）機能部１３は、ＵＭＴＳ方式におけるＲＲＣプロトコル処理を行うように構成されており、ＲＲＣ（ＬＴＥ）機能部１４は、ＬＴＥ方式におけるＲＲＣプロトコル処理を行うように構成されている。
【００３４】
以下、図２を参照して、上述の機能部１１乃至１５の具体的な機能及び動作について説明する。
【００３５】
図２に示すように、移動局ＵＥが、ステップＳ１０００に示すように、ＬＴＥ方式ネットワーク配下のセル（以下、ＬＴＥセル）において待ち受けを行っている状態で、ＭＭ機能部１１は、ステップＳ１００１に示すように、緊急呼の発信契機を検出すると、ステップＳ１００２に示すように、ＥＭＭ機能部１２に対して、緊急呼発信要求を送信するように構成されている。
【００３６】
ＥＭＭ機能部１２は、ステップＳ１００３に示すように、ＭＭ機能部１１から緊急呼発信要求を受信すると、移動局ＵＥのＥＣＭ（ＥＰＳ  Ｃｏｎｎｅｃｔｉｏｎ  Ｍａｎａｇｅｍｅｎｔ）状態を判定するように構成されている。
【００３７】
具体的には、ＥＭＭ機能部１２は、移動局ＵＥのＥＣＭ状態が「ＥＣＭ_ＩＤＬＥ状態」或いは「ＥＣＭ_ＣＯＮＮＥＣＴＥＤ状態」であるか否かについて判定するように構成されている。
【００３８】
ここで、移動局ＵＥのＥＣＭ状態が「ＥＣＭ_ＩＤＬＥ状態」である場合には、移動局ＵＥは、ＬＴＥセルにおいて非通信状態である。一方、移動局ＵＥのＥＣＭ状態が「ＥＣＭ_ＣＯＮＮＥＣＴＥＤ状態」である場合には、移動局ＵＥは、ＬＴＥセルにおいて、ＲＲＣコネクションを確立しており、通信状態である。
【００３９】
ＥＭＭ機能部１２は、移動局ＵＥのＥＣＭ状態が「ＥＣＭ_ＣＯＮＮＥＣＴＥＤ状態」であると判定した場合には、ＣＳＦＢ手順を行うことによって、ＬＴＥ方式ネットワークにおける第１コネクションをＵＭＴＳ方式ネットワークにおける第２コネクションに切り替えるように構成されていてもよい。
【００４０】
その後、ＭＭ機能部１１が、かかる第２コネクションを介して、緊急呼の発信を行うように構成されている。
【００４１】
一方、ＥＭＭ機能部１２は、移動局ＵＥのＥＣＭ状態が「ＥＣＭ_ＩＤＬＥ状態」であると判定した場合には、ステップＳ１００４に示すように、ＲＲＣ（ＬＴＥ）機能部１４に対して、「緊急呼対応」である旨を示すセルサーチ要求を送信するように構成されている。
【００４２】
ＲＲＣ（ＬＴＥ）機能部１４は、ステップＳ１００５に示すように、ＥＭＭ機能部１２から受信したセルサーチ要求を、ＨＷ機能部１５に送信するように構成されている。
【００４３】
ＨＷ機能部１５は、ステップＳ１００６に示すように、ＲＲＣ（ＬＴＥ）機能部１４から受信したセルサーチ要求に応じて、セルサーチ処理を行い、ステップＳ１００７に示すように、かかるセルサーチ処理の結果を含むセルサーチ応答を、ＲＲＣ（ＬＴＥ）機能部１４に送信するように構成されている。
【００４４】
具体的には、ＨＷ機能部１５は、上述のセルサーチ要求に応じて、ＵＭＴＳ方式ネットワーク配下のセル（以下、ＵＭＴＳセル）の周波数をサーチするように構成されている。
【００４５】
ＲＲＣ（ＬＴＥ）機能部１４は、ステップＳ１００８に示すように、ＨＷ機能部１５から受信したセルサーチ応答に含まれるセルサーチ処理の結果に応じて、移動局ＵＥが待ち受け可能なＵＭＴＳセルが存在するか否かについて判定するように構成されている。
【００４６】
例えば、ＲＲＣ（ＬＴＥ）機能部１４は、特定のＵＭＴＳセルにおける受信レベルが所定閾値よりも大きい場合に、かかる特定のＵＭＴＳセルを、移動局ＵＥが待ち受け可能なＵＭＴＳセルとするように構成されている。
【００４７】
また、ＲＲＣ（ＬＴＥ）機能部１４は、ステップＳ１００９に示すように、移動局ＵＥが待ち受け可能なＵＭＴＳセルを特定する情報を含むセルサーチ応答を、ＥＭＭ機能部１２に送信するように構成されている。
【００４８】
ここで、ＲＲＣ（ＬＴＥ）機能部１４は、ＵＭＴＳセルにおける受信レベルがＬＴＥセルにおける受信レベル（電界強度）よりも小さい場合であっても、上述の移動局ＵＥが待ち受け可能なＵＭＴＳセルを特定する情報を含むセルサーチ応答を、ＥＭＭ機能部１２に送信するように構成されていてもよい。
【００４９】
また、ＲＲＣ（ＬＴＥ）機能部１４は、ＵＭＴＳセルに対して設定されている待ち受けセルを決定する際に用いられる優先度（待ち受け優先度）が、ＬＴＥセルに対して設定されている待ち受けセルを決定する際に用いられる優先度よりも低い場合であっても、上述の移動局ＵＥが待ち受け可能なＵＭＴＳセルを特定する情報を含むセルサーチ応答を、ＥＭＭ機能部１２に送信するように構成されていてもよい。
【００５０】
なお、かかる優先度は、ＬＴＥ方式ネットワークにおいて報知情報或いは個別情報（ＲＲＣ  Ｃｏｎｎｅｃｔｉｏｎ  Ｒｅｌｅａｓｅ）によって通知されるものである。
【００５１】
ステップＳ１０１０に示すように、ＥＭＭ機能部１２は、ＲＲＣ（ＬＴＥ）機能部１４から受信したセルサーチ応答に応じて、ＬＴＥ方式からＵＭＴＳ方式へのＲＡＴ切替処理を開始するように構成されており、かかるＲＡＴ切替処理の完了後、ＲＲＣ（ＵＭＴＳ）機能部１３は、ステップＳ１０１１に示すように、ＵＭＴＳセルにおける待ち受けを開始し、ステップＳ１０１２に示すように、ＭＭ機能部１１に対して、待ち受けを開始したＵＭＴＳセルについて通知するように構成されている。
【００５２】
ＭＭ機能部１１は、ステップＳ１０１３に示すように、ＲＲＣ（ＵＭＴＳ）機能部１３から通知されたＵＭＴＳセルを介して緊急呼の発信を行うように構成されている。
【００５３】
ここで、ＭＭ機能部１１は、ＵＭＴＳ方式ネットワークに対して位置登録を行うことなく、ＵＭＴＳセルを介して緊急呼の発信を行うように構成されていてもよいし、ＵＭＴＳ方式ネットワークに対して位置登録を行った後に、ＵＭＴＳセルを介して緊急呼の発信を行うように構成されていてもよい。
【００５４】
ＵＭＴＳ方式ネットワークでは、移動局ＵＥに対して固定で割り当てられているユーザ識別子ＩＭＳＩを用いて、位置登録を行うことなく、緊急呼の発信を行うことができる。
【００５５】
ＭＭ機能部１１は、ＵＭＴＳ方式ネットワークに対して位置登録を行うことなく、ＵＭＴＳセルを介して緊急呼の発信を行うことによって、緊急呼の接続に要する時間を短縮することができる。
【００５６】
以下、図３を参照して、本実施形態に係る移動通信システムにおいて移動局ＵＥが緊急呼の発信を行う動作について説明する。
【００５７】
図３に示すように、ＬＴＥセルで待ち受けを行っている移動局ＵＥが、ステップＳ１０１において、ユーザ操作等により緊急呼発信指示を検出した場合に、ステップＳ１０２において、かかるＬＴＥセルにおいて緊急呼の発信を行うことができない状態（例えば、図３に示すパケット交換機ＭＭＥによって払い出されたＭ-ＴＭＳＩを保有していない状態や当該ＬＴＥセルにおいて発信規制が行われている場合）であることを認識する。
【００５８】
ステップＳ１０３において、移動局ＵＥは、ＵＭＴＳセルで用いられている周波数に対するセルサーチ処理を行う。
【００５９】
ステップＳ１０４において、移動局ＵＥは、ＵＭＴＳセルにおける待ち受け優先度がＬＴＥセルにおける待ち受け優先度よりも低く、ＬＴＥセルにおける受信レベルが待ち受けセルとして継続するための条件を満たしている場合であっても、ＵＭＴＳセルにおいて待ち受けが可能であると判断した場合には、かかるＵＭＴＳセルにおける待ち受けを開始する。
【００６０】
ステップＳ１０５において、移動局ＵＥは、かかるＵＭＴＳセルを介して緊急呼の発信を行う。
【００６１】
ここで、移動局ＵＥに設定可能なモードとして、ＣＳＦＢを用いることなく「ＥＣＭ_ＩＤＬＥ状態」における緊急呼の発信を行う「第１モード」と、ＣＳＦＢを優先的に用いて「ＥＣＭ_ＩＤＬＥ状態」における緊急呼の発信を行う「第２モード」とが存在する。
【００６２】
なお、移動局ＵＥは、第１モードに設定されている場合（かつ、Ｍ-ＴＭＳＩを保有している場合）には、ＬＴＥセルにおいて待ち受けを行っている状態で、緊急呼の発信契機を検出した場合で、かつ、ＵＭＴＳセルにおいて待ち受け可能であると判定された場合に、ＵＭＴＳセルを介して緊急呼の発信を行うように構成されていてもよい。
【００６３】
一方、移動局ＵＥは、第２モードに設定されている場合には（Ｍ-ＴＭＳＩを保有しているか否かに関らず）、ＬＴＥセルにおいて待ち受けを行っている状態で、緊急呼の発信契機を検出した場合で、かつ、ＵＭＴＳセルにおいて待ち受け可能であると判定された場合に、ＬＴＥセルを介して第１コネクションを確立した後、第１コネクションをＵＭＴＳ方式ネットワークにおける第２コネクションに切り替え、第２コネクションを介して緊急呼の発信を行うように構成されていてもよい。
【００６４】
本発明の第１の実施形態に係る移動局によれば、ＬＴＥセルにおいて待ち受けを行っている場合に、緊急呼の発信契機を検出した場合には、Ｍ-ＴＭＳＩを保有していない場合であっても、待ち受け可能なＵＭＴＳセルを介して緊急呼の発信を行うことができる。
【００６５】
以上に述べた本実施形態の特徴は、以下のように表現されていてもよい。
【００６６】
本実施形態の第１の特徴は、移動局ＵＥであって、ＰＳ専用ネットワーク（パケット交換専用ネットワーク）であるＬＴＥ方式ネットワーク（第１ネットワーク）配下のセルにおいて待ち受けを行っている状態で、緊急呼の発信契機を検出した場合で、かつ、ＣＳネットワーク（回線交換ネットワーク）を有するＵＭＴＳ方式ネットワーク（第２ネットワーク）配下のセルにおいて待ち受け可能であると判定された場合に、ＵＭＴＳ方式ネットワーク配下のセルを介して緊急呼の発信を行うように構成されている緊急呼発信処理部を具備することを要旨とする。
【００６７】
本実施形態の第１の特徴において、緊急呼発信処理部は、ＵＭＴＳ方式ネットワーク配下のセルにおける受信レベルが所定閾値よりも大きい場合に、ＵＭＴＳ方式ネットワーク配下のセルにおいて待ち受け可能であると判定するように構成されていてもよい。
【００６８】
本実施形態の第１の特徴において、緊急呼発信処理部は、ＬＴＥ方式ネットワーク配下のセルにおいて待ち受けを行っている状態で、緊急呼の発信契機を検出した場合で、かつ、ＵＭＴＳ方式ネットワーク配下のセルにおいて待ち受け可能であると判定された場合には、ＵＭＴＳ方式ネットワーク配下のセルにおける受信レベルがＬＴＥ方式ネットワーク配下のセルにおける受信レベルよりも小さい場合であっても、ＵＭＴＳ方式ネットワーク配下のセルを介して緊急呼の発信を行うように構成されていてもよい。
【００６９】
本実施形態の第１の特徴において、緊急呼発信処理部は、ＬＴＥ方式ネットワーク配下のセルにおいて待ち受けを行っている状態で、緊急呼の発信契機を検出した場合で、かつ、ＵＭＴＳ方式ネットワーク配下のセルにおいて待ち受け可能であると判定された場合には、ＵＭＴＳ方式ネットワーク配下のセルに対して設定されている待ち受けセルを決定する際に用いられる優先度が、ＬＴＥ方式ネットワーク配下のセルに対して設定されている待ち受けセルを決定する際に用いられる優先度よりも低い場合であっても、ＵＭＴＳ方式ネットワーク配下のセルを介して緊急呼の発信を行うように構成されていてもよい。
【００７０】
本実施形態の第１の特徴において、緊急呼発信処理部は、ＬＴＥ方式ネットワーク配下のセルにおいて待ち受けを行っている状態で、緊急呼の発信契機を検出した場合で、かつ、ＵＭＴＳ方式ネットワーク配下のセルにおいて待ち受け可能であると判定された場合には、ＵＭＴＳ方式ネットワークに対して位置登録を行うことなく、ＵＭＴＳ方式ネットワーク配下のセルを介して緊急呼の発信を行うように構成されていてもよい。
【００７１】
本実施形態の第１の特徴において、緊急呼発信処理部は、ＬＴＥ方式ネットワークにおいて第１コネクションを確立している状態で、緊急呼の発信契機を検出した場合には、第１コネクションをＵＭＴＳ方式ネットワークにおける第２コネクションに切り替え、第２コネクションを介して緊急呼の発信を行うように構成されていてもよい。
【００７２】
本実施形態の第１の特徴において、緊急呼発信処理部は、移動局ＵＥが第１モードに設定されている場合には、ＬＴＥ方式ネットワーク配下のセルにおいて待ち受けを行っている状態で、緊急呼の発信契機を検出した場合で、かつ、ＵＭＴＳ方式ネットワーク配下のセルにおいて待ち受け可能であると判定された場合に、ＵＭＴＳ方式ネットワーク配下のセルを介して緊急呼の発信を行うように構成されており、緊急呼発信処理部は、移動局ＵＥが第２モードに設定されている場合には、ＬＴＥ方式ネットワーク配下のセルにおいて待ち受けを行っている状態で、緊急呼の発信契機を検出した場合で、かつ、ＵＭＴＳ方式ネットワーク配下のセルにおいて待ち受け可能であると判定された場合に、ＬＴＥ方式ネットワーク配下のセルを介して第１コネクションを確立した後、第１コネクションをＵＭＴＳ方式ネットワークにおける第２コネクションに切り替え、第２コネクションを介して緊急呼の発信を行うように構成されていてもよい。
【００７３】
本実施形態の第２の特徴は、移動通信方法であって、移動局ＵＥにおいて、ＰＳ専用ネットワークであるＬＴＥ方式ネットワーク配下のセルにおいて待ち受けを行っている状態で、緊急呼の発信契機を検出した場合に、ＣＳネットワークを有するＵＭＴＳ方式ネットワーク配下のセルにおいて待ち受け可能であるか否かについて判定する工程と、移動局ＵＥにおいて、ＵＭＴＳ方式ネットワーク配下のセルにおいて待ち受け可能であると判定された場合に、ＵＭＴＳ方式ネットワーク配下のセルを介して緊急呼の発信を行う工程とを有することを要旨とする。
【００７４】
なお、上述の無線基地局ｅＮＢや移動局ＵＥやパケット交換機ＭＭＥや回線交換機ＭＳＣの動作は、ハードウェアによって実施されてもよいし、プロセッサによって実行されるソフトウェアモジュールによって実施されてもよいし、両者の組み合わせによって実施されてもよい。
【００７５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥやパケット交換機ＭＭＥや回線交換機ＭＳＣ内に設けられていてもよい。また、かかる記憶媒体及びプロセッサは、ディスクリートコンポーネントとして無線基地局ｅＮＢや移動局ＵＥやパケット交換機ＭＭＥや回線交換機ＭＳＣ内に設けられていてもよい。
【００７７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７８】
ＭＭＥ…パケット交換機
ＭＳＣ…回線交換機
ＵＥ…移動局
１１…ＭＭ機能部
１２…ＥＭＭ機能部
１３…ＲＲＣ（ＵＭＴＳ）機能部
１４…ＲＲＣ（ＬＴＥ）機能部
１５…ＨＷ機能部
【図１】
2010178203.tif 000003
【図２】
2010178203.tif 000004
【図３】
2010178203.tif 000005
【手続補正書】
【提出日】平成22年1月22日(2010.1.22)
【手続補正１】
【補正対象書類名】特許請求の範囲
【補正対象項目名】全文
【補正方法】変更
【補正の内容】
【特許請求の範囲】
【請求項１】
パケット交換専用ネットワークである第１ネットワーク配下のセルにおいて待ち受けを行っている状態で、緊急呼の発信契機を検出した場合で、かつ、回線交換ネットワークを有する第２ネットワーク配下のセルにおいて待ち受け可能であると判定された場合に、該第２ネットワーク配下のセルを介して緊急呼の発信を行うように構成されている緊急呼発信処理部を具備することを特徴とする移動局。
【請求項２】
前記緊急呼発信処理部は、前記第１ネットワーク配下のセルにおいて待ち受けを行っている状態で、前記緊急呼の発信契機を検出した場合で、前記第1ネットワーク配下のパケット交換局によって払い出されたＭ-ＴＭＳＩ（Ｍ-Ｔｅｍｐｏｒａｒｙ  Ｍｏｂｌｉｌｅ  Ｓｕｂｓｃｒｉｂｅｒ  Ｉｄｅｎｔｉｔｙ）を保有していない場合で、かつ、前記第２ネットワーク配下のセルにおいて待ち受け可能であると判定された場合に、該第２ネットワーク配下のセルを介して緊急呼の発信を行うように構成されていることを特徴とする請求項１に記載の移動局。
【請求項３】
前記緊急呼発信処理部は、前記第２ネットワーク配下のセルにおける受信レベルが所定閾値よりも大きい場合に、該第２ネットワーク配下のセルにおいて待ち受け可能であると判定するように構成されていることを特徴とする請求項１に記載の移動局。
【請求項４】
前記緊急呼発信処理部は、前記第１ネットワーク配下のセルにおいて待ち受けを行っている状態で、前記緊急呼の発信契機を検出した場合で、かつ、前記第２ネットワーク配下のセルにおいて待ち受け可能であると判定された場合には、該第２ネットワーク配下のセルにおける受信レベルが該第１ネットワーク配下のセルにおける受信レベルよりも小さい場合であっても、該第２ネットワーク配下のセルを介して緊急呼の発信を行うように構成されていることを特徴とする請求項１に記載の移動局。
【請求項５】
前記緊急呼発信処理部は、前記第１ネットワーク配下のセルにおいて待ち受けを行っている状態で、前記緊急呼の発信契機を検出した場合で、かつ、前記第２ネットワーク配下のセルにおいて待ち受け可能であると判定された場合には、該第２ネットワーク配下のセルに対して設定されている待ち受けセルを決定する際に用いられる優先度が、該第１ネットワーク配下のセルに対して設定されている待ち受けセルを決定する際に用いられる優先度よりも低い場合であっても、該第２ネットワーク配下のセルを介して緊急呼の発信を行うように構成されていることを特徴とする請求項１に記載の移動局。
【請求項６】
前記緊急呼発信処理部は、前記第１ネットワーク配下のセルにおいて待ち受けを行っている状態で、前記緊急呼の発信契機を検出した場合で、かつ、前記第２ネットワーク配下のセルにおいて待ち受け可能であると判定された場合には、該第２ネットワークに対して位置登録を行うことなく、該第２ネットワーク配下のセルを介して緊急呼の発信を行うように構成されていることを特徴とする請求項１に記載の移動局。
【請求項７】
前記緊急呼発信処理部は、前記第１ネットワークにおいて第１コネクションを確立している状態で、前記緊急呼の発信契機を検出した場合には、該第１コネクションを前記第２ネットワークにおける第２コネクションに切り替え、該第２コネクションを介して緊急呼の発信を行うように構成されていることを特徴とする請求項１に記載の移動局。
【請求項８】
前記緊急呼発信処理部は、前記移動局が第１モードに設定されている場合には、前記第１ネットワーク配下のセルにおいて待ち受けを行っている状態で、緊急呼の発信契機を検出した場合で、かつ、前記第２ネットワーク配下のセルにおいて待ち受け可能であると判定された場合に、該第２ネットワーク配下のセルを介して緊急呼の発信を行うように構成されており、
前記緊急呼発信処理部は、前記移動局が第２モードに設定されている場合には、前記第１ネットワーク配下のセルにおいて待ち受けを行っている状態で、緊急呼の発信契機を検出した場合で、かつ、前記第２ネットワーク配下のセルにおいて待ち受け可能であると判定された場合に、該第１ネットワーク配下のセルを介して第１コネクションを確立した後、該第１コネクションを該第２ネットワークにおける第２コネクションに切り替え、該第２コネクションを介して緊急呼の発信を行うように構成されていることを特徴とする請求項１に記載の移動局。
【請求項９】
移動局において、パケット交換専用ネットワークである第１ネットワーク配下のセルにおいて待ち受けを行っている状態で、緊急呼の発信契機を検出した場合に、回線交換ネットワークを有する第２ネットワーク配下のセルにおいて待ち受け可能であるか否かについて判定する工程と、
前記移動局において、前記第２ネットワーク配下のセルにおいて待ち受け可能であると判定された場合に、該第２ネットワーク配下のセルを介して緊急呼の発信を行う工程とを有することを特徴とする移動通信方法。